【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
並列インダクティブ・ヘッド構造を形成する方法であって、空気軸受面（ＡＢＳ）の近傍に配置した読み取り素子を有する読み取りヘッドを形成し、前記読み取りヘッドに隣接する第１コイル・サイドおよび前記ＡＢＳに垂直をなす中心軸とを有する書き込みコイルを形成し、前記書き込みコイルに連結しかつ前記読み取り素子に向かって前記中心軸からはずれて位置して前記読み取りヘッドおよび前記書き込みコイルの間にごく近傍した配列をなす磁極チップを形成し、前記読み取りおよび書き込みヘッド間の絶縁トレンチを形成することを特徴とする並列インダクティブ・ヘッド構造を形成する方法。
【請求項２】
前記磁極チップの形成が、前記ＡＢＳ近傍で前記書き込みコイルの第１コイル・サイドに列をなして前記磁極チップを位置決めするステップをさらに含むことを特徴とする請求項１に記載の方法。
【請求項３】
前記書き込みコイルと前記磁極チップとを結合し、第１ヨーク・サイドと第２ヨーク・サイドとを有するヨークを形成するステップをさらに含むことを特徴とする請求項１に記載の方法。
【請求項４】
前記ヨークの形成は、空気軸受面（ＡＢＳ）に角度をなして前記第１ヨーク・サイドと第２ヨーク・サイドとを形成して前記読み取り素子に向かって前記中心軸からはずれた前記磁極チップを位置付けるステップをさらに含むことを特徴とする請求項３に記載の方法。
【請求項５】
前記ヨークの形成は、前記ＡＢＳに垂直をなす平面の前記第１ヨーク・サイドと前記読み取り素子に向かって前記中心軸からはずれた前記磁極チップを位置付ける前記ＡＢＳに角度をなして形成された前記第２ヨーク・サイドとで前記ヨークを形成するステップをさらに含むことを特徴とする請求項３に記載の方法。
【請求項６】
前記ヨークの形成は、前記ヨークの前記磁極チップ端部で第１フレア・サイドと第２フレア・サイドとを有するフレアを形成し、各フレアサイドはＡＢＳに角度を形成して前記読み取り素子に向かって前記中心軸からはずれた前記磁極チップを位置付けするステップをさらに含むことを特徴とする請求項３に記載の方法。
【請求項７】
前記ヨークの形成は、前記ヨークの前記磁極チップ端部で第１フレア・サイドと第２フレア・サイドとを有するフレアを形成し、前記第１フレア・サイドはＡＢＳに垂直をなす第１コイル・サイドに位置付けられ、前記第２フレア・サイドは前記ＡＢＳに角度をなして前記読み取り素子に向かって前記中心軸からはずれた前記磁極チップを位置付けるステップをさらに含むことを特徴とする請求項３に記載の方法。
【請求項８】
前記絶縁トレンチの形成は、前記第１コイル・サイドと前記読み取りヘッドのシールドとの間に一定の距離を設けるステップをさらに含むことを特徴とする請求項１に記載の方法。
【請求項９】
並列読み取り・書き込みヘッドであって、空気軸受面（ＡＢＳ）の近傍に形成された読み取り素子を有し磁気記録媒体上に書き込まれたデータを検出する読み取りヘッドと、コイルおよび磁極チップが連結され磁気記録媒体上にデータを記録する書き込みヘッドとを有し、前記コイルは前記読み取りヘッドに隣接した第１コイル・サイドおよび前記ＡＢＳに垂直をなす中心軸と、前記読み取りヘッドと書き込みヘッドの間に、前記読み取りヘッドと書き込みヘッドの間の磁気クロストークを防止する絶縁トレンチと、を有し、前記磁極チップは前記読み取り素子に向かって前記中心軸からはずれて配置されて前記読み取りヘッドと書き込みヘッドの間にごく近傍した配列をなすことを特徴とする並列読み取り・書き込みヘッド。
【請求項１０】
前記磁極チップは、空気軸受面に近傍して前記コイルの前記第１コイル・サイドに列をなして配置される請求項９に記載の並列読み取り・書き込みヘッド。
【請求項１１】
前記書き込みヘッドは、前記コイルに前記磁極チップを結合させるヨークをさらに含むことを特徴とする請求項１０に記載の並列読み取り・書き込みヘッド。
【請求項１２】
前記ヨークは、前記ＡＢＳに角度をなす第１ヨーク・サイドおよび第２ヨーク・サイドをさらに含むことを特徴とする請求項１１に記載の並列読み取り・書き込みヘッド。
【請求項１３】
前記ヨークは、前記ＡＢＳに垂直をなす第１コイル・サイドに位置付けされた第１ヨーク・サイドと、前記ＡＢＳに角度をなす第２ヨーク・サイドをさらに含むことを特徴とする請求項１１に記載の並列読み取り・書き込みヘッド。
【請求項１４】
前記ヨークは、当該ヨークの前記磁極チップ端部で前記ＡＢＳに角度をなす第１フレア・サイドおよび第２フレア・サイドを有するフレアをさらに有することを特徴とする請求項１１に記載の並列読み取り・書き込みヘッド。
【請求項１５】
前記ヨークは、当該ヨークの前記磁極チップ端部で第１フレア・サイドおよび第２フレア・サイドとを有するフレアをさらに有し、前記第１フレア・サイドは前記第１コイル・サイドに位置し、前記第２フレア・サイドは前記ＡＢＳに角度をなして形成されることを特徴とする請求項１１に記載の並列読み取り・書き込みヘッド。
【請求項１６】
前記絶縁トレンチは、前記読み取りヘッドと書き込みヘッドの間の磁気クロストークを防止するために、前記第１コイル・サイドと前記読み取りヘッドのシールドとの間が一定距離隔てられたものであることを特徴とする請求項９に記載の並列読み取り・書き込みヘッド。
【請求項１７】
可動磁気記憶媒体、アクチュエータ、前記アクチュエータに結合した並列読み取り・書き込みヘッドとを有する磁気記憶システムであって、前記並列読み取り・書き込みヘッドは空気軸受面（ＡＢＳ）の近傍に形成された読み取り素子を有して磁気記録媒体上に書き込まれたデータを検出する読み取りヘッドと、コイルと磁極チップとが連結された磁気記録媒体上にデータを記録する書き込みヘッドとを有し、前記コイルは前記読み取りヘッドに隣接した第１コイル・サイドと前記ＡＢＳに垂直をなす中心軸と、前記読み取りヘッドと書き込みヘッドの間に、前記読み取りヘッドと書き込みヘッドの間の磁気クロストークを防止するための絶縁トレンチと、を有し、前記磁極チップは前記読み取り素子に向かって前記中心軸からはずれて配置されて前記読み取りヘッドと書き込みヘッドの間にごく近傍した配列をなすことを特徴とする磁気記憶システム。
【請求項１８】
前記磁極チップは、空気軸受面の近傍の前記第１コイル・サイドに列をなすように配列されることを特徴とする請求項１７に記載の磁気記憶システム。
【請求項１９】
前記書き込みヘッドは、前記コイルに前記磁極チップを連結したヨークをさらに有することを特徴とする請求項１８に記載の磁気記憶システム。
【請求項２０】
前記ヨークは、前記ＡＢＳに角度をなす第１ヨーク・サイドと第２ヨーク・サイドをさらに含むことを特徴とする請求項１９に記載の磁気記憶システム。
【請求項２１】
前記ヨークは、ＡＢＳに垂直をなす前記第１コイル・サイドに位置付けされた第１ヨーク・サイドと前記ＡＢＳに角度をなす第２ヨーク・サイドとをさらに含むことを特徴とする請求項１９に記載の磁気記憶システム。
【請求項２２】
前記ヨークは、当該ヨークの前記磁極チップ端部にある前記ＡＢＳに角度をなす第１フレア・サイドおよび第２フレア・サイドとを有するフレアをさらに有することを特徴とする請求項１９に記載の磁気記憶システム。
【請求項２３】
前記ヨークは、当該ヨークの前記磁極チップ端部にある第１フレア・サイドおよび第２フレア・サイドとを有するフレアをさらに有し、前記第１フレア・サイドは第１コイル・サイドに位置し、前記第２フレア・サイドは前記ＡＢＳに角度をなして形成されることを特徴とする請求項１９に記載の磁気記憶システム。
【請求項２４】
前記読み取りヘッドと書き込みヘッドの間に、前記読み取りヘッドと書き込みヘッドの間の磁気クロストークを防止するための絶縁トレンチをさらに有することを特徴とする請求項１９に記載の磁気記憶システム。
【請求項２５】
前記絶縁トレンチは、前記読み取りヘッドと書き込みヘッドの間の磁気クロストークを防止するために、前記第１コイル・サイドと前記読み取りヘッドのシールドとの間が一定距離隔てられたものであることを特徴とする請求項２４に記載の磁気記憶システム。
【請求項２６】
空気軸受面（ＡＢＳ）に近傍して整列され磁気記録媒体上に書き込まれたデータを検出する読み取り手段と、磁界生成手段および変換手段とを含む磁気記録媒体へのデータ書き込み手段とを有し、前記磁界生成手段は前記読み取り手段に隣接している第１サイドと前記ＡＢＳに垂直をなす中心軸と、前記読み取りヘッドと書き込みヘッドの間に、前記読み取りヘッドと書き込みヘッドの間の磁気クロストークを防止するための絶縁トレンチと、を含み、前記変換手段は前記読み取り手段と書き込み手段とがごく近傍する配置をなすために前記読み取り手段に向かって前記中心軸からはずれて配置されることを特徴とする並列読み取り・書き込みヘッド。